(57)【特許請求の範囲】
【請求項１】
１枚の金属板をプレス加工して形成され、
一方の接続対象物に接触可能な接触部と、前記接触部に連結され、前記接触部を前記一方の接続対象物に付勢するばね部と、前記ばね部に連結され、ハウジングに圧入される圧入部と、前記圧入部に連結される連結部と、前記連結部に連結され、他方の接続対象物に接続される端子部とを有するコンタクトを備えたコネクタにおいて、
前記ばね部が、前記ハウジングに圧入されることなく、前記圧入部の挿入方向後端部から挿入方向前側へ折り返されるように曲がっており、
前記連結部が、前記ハウジングに圧入されることなく、前記圧入部の挿入方向後端部から挿入方向後側へ延びており、
前記圧入部が、前記ハウジングに圧入されたとき前記ハウジングに食い込む突起部を有し、
前記圧入部が、前記圧入部の挿入方向と板厚方向とに直交する方向へ縦長に延びるほぼ矩形の板部であり、前記ハウジングの後端部に圧入され、
前記圧入部に対する前記ばね部の連結端が前記圧入部の長手方向一端側に位置し、前記圧入部に対する前記連結部の連結端が前記圧入部の長手方向他端側に位置し、前記連結部と前記ばね部とが所定の隙間を介して配置される
ことを特徴とするコネクタ。
【発明の詳細な説明】
【技術分野】
【０００１】
この発明はコンタクト及びそれを備えたコネクタに関する。
【背景技術】
【０００２】
従来、接触部と、実装部と、その両者を接続する本体部と、接触部及び実装部の中間に配置された保持部とを備える導電性端子（コンタクト）が知られている（下記特許文献１参照）。
【０００３】
導電性端子はハウジングの後方から挿入され、導電性端子の保持部がハウジングに保持される。
【０００４】
導電性端子の保持部は挿入方向へ延びている。また、保持部は導電性端子のインピーダンス調整のための開口や挿入方向へ延びるスロットを有する。
【特許文献１】特表２００５−５２５６８４号公報
【発明の開示】
【発明が解決しようとする課題】
【０００５】
上述の導電性端子を備えたコネクタには、上述のように導電性端子の保持部に開口やスロットが形成されているので、ハウジングに対する保持部の保持力が小さく、何らかの原因により、導電性端子がハウジングの所定位置から動いたり、ハウジングから外れたりするおそれがあるという問題があった。また、保持部がスタブとなり、所望のインピーダンスが得られにくかった。所望のインピーダンスを得ようと端子を設計する際に、インピーダンスを調整するのが煩雑であった。
【０００６】
この発明はこのような事情に鑑みてなされたもので、その課題は、インピーダンスの調整を容易にすることができるとともに、ハウジングに対する高い保持力を確保することができるコンタクト及びそのコンタクトを備えたコネクタを提供することである。
【課題を解決するための手段】
【０００７】
前述の課題を解決するため請求項１の発明のコネクタは、１枚の金属板をプレス加工して形成され、一方の接続対象物に接触可能な接触部と、前記接触部に連結され、前記接触部を前記一方の接続対象物に付勢するばね部と、前記ばね部に連結され、ハウジングに圧入される圧入部と、前記圧入部に連結される連結部と、前記連結部に連結され、他方の接続対象物に接続される端子部とを有するコンタクトを備えたコネクタにおいて、前記ばね部が、前記ハウジングに圧入されることなく、前記圧入部の挿入方向後端部から挿入方向前側へ折り返されるように曲がっており、前記連結部が、前記ハウジングに圧入されることなく、前記圧入部の挿入方向後端部から挿入方向後側へ延びており、前記圧入部が、前記ハウジングに圧入されたとき前記ハウジングに食い込む突起部を有し、前記圧入部が、前記圧入部の挿入方向と板厚方向とに直交する方向へ縦長に延びるほぼ矩形の板部であり、前記ハウジングの後端部に圧入され、前記圧入部に対する前記ばね部の連結端が前記圧入部の長手方向一端側に位置し、前記圧入部に対する前記連結部の連結端が前記圧入部の長手方向他端側に位置し、前記連結部と前記ばね部とが所定の隙間を介して配置されることを特徴とする。
【０００８】
上述のようにばね部が圧入部の挿入方向後端部から挿入方向前側へ折り返されるように曲がっており、連結部が圧入部の挿入方向後端部から挿入方向後側へ延びているので、圧入部の挿入方向の寸法を縮めることができ、その結果として圧入部に開口やスロットを形成する必要もなくなる。
【発明の効果】
【００１０】
この発明によれば、インピーダンスの調整を容易にすることができるとともに、ハウジングに対する高い保持力を確保することができる。
【発明を実施するための最良の形態】
【００１１】
以下、この発明の実施の形態を図面に基づいて説明する。
【００１２】
この発明の一実施形態に係るコンタクトを備えたコネクタを図１Ａ〜図３に基づいて説明する。
【００１３】
このコネクタは、図示しないグラフィックカード基板等のモジュール基板（一方の接続対象物）をパソコンやプリンタ等のマザーボード（他方の接続対象物）に接続するためのカードエッジコネクタであり、高速信号に対応した狭ピッチのカードエッジコネクタである。
【００１４】
図１Ａ、図１Ｂ、図１Ｃに示すように、このコネクタは上段コンタクト（コンタクト）３と下段コンタクト４とハウジング５とを備える。
【００１５】
図２、図３に示すように、上段コンタクト３は、接触部３１とばね部３２と圧入部３３と連結部３４と端子部３５とを有する。上段コンタクト３は１枚の金属板（図示せず）をプレス加工して形成されている。
【００１６】
接触部３１はモジュール基板の上面に形成されたパッド（図示せず）に接触する。
【００１７】
ばね部３２はほぼＪ字形であり、ばね部３２の一端部は接触部３１に連結されている。ばね部３２は接触部３１をモジュール基板の上面のパッドに押し付ける。
【００１８】
圧入部３３はほぼ矩形であり、圧入部３３の後述するハウジング５の保持孔部５２ｂへの挿入方向ＤＩと圧入部３３の厚さ方向ＤＴとに直交する方向（圧入部３３の高さ方向）ＤＨへ延びる縦長のほぼ四角形の板部である。圧入部３３の高さ方向ＤＨは圧入部３３の長手方向と平行である。圧入部３３の下部にはほぼくさび状の突起部３３ａが形成されている。圧入部３３の挿入方向後端部３３ｂの上部にはばね部３２の他端部（連結端）が連結されている。ばね部３２の他端部は、圧入部３３の上部側の端面３３ｃから段差をつけて、挿入方向ＤＩと反対の方向へ延びている。接触部３１は圧入部３３に対して挿入方向ＤＩで前方、高さ方向ＤＨで上方に位置しており、ばね部３２は圧入部３３の挿入方向後端部３３ｂから挿入方向前側へ折り返されるように曲がっている。圧入部３３はハウジング５の保持孔部５２ｂに圧入される。圧入部３３は保持孔部５２ｂに圧入されると、突起部３３ａが保持孔部５２ｂの内面に食い込み、圧入部３３が保持孔部５２ｂから容易に抜けなくなる。
【００１９】
連結部３４はほぼ矩形であり、連結部３４の一端部（連結端）は圧入部３３の挿入方向後端部３３ｂの下部に連結されている。連結部３４は挿入方向ＤＩへ延びる横長のほぼ四角形の板部である。連結部３４には連結部３４がキャリア（図示せず）に連結されていたことを示す連結痕３４ａがある。連結部３４とばね部３２とは所定の隙間３６を介して配置されている。
【００２０】
端子部３５はほぼＬ字形であり、連結部３４の他端部に連結されている。端子部３５はマザーボードのパッド（図示せず）に半田付けされる。
【００２１】
ばね部３２の高さ方向ＤＨの幅と連結部３４の高さ方向ＤＨの幅とはほぼ等しい。
【００２２】
また、圧入部３３の挿入方向ＤＩの幅と連結部３４の高さ方向ＤＨの幅とはほぼ等しい。
【００２３】
図２に示すように、下段コンタクト４は接触部４１と端子部４３等を有する。
【００２４】
接触部４１はモジュール基板の下面に形成されたパッド（図示せず）に接触する。
【００２５】
端子部４３はマザーボードのパッド（図示せず）に半田付けされる。
【００２６】
下段コンタクト４は上段コンタクト３に較べて格段に小さいので、インピーダンス整合が余り問題とならない。下段コンタク４は上段コンタクト３のような形状の圧入部やばね部等を有していない。
【００２７】
ハウジング５は絶縁性の樹脂で形成されている。図２に示すように、ハウジング５の前部には受容部５１が形成されている。受容部５１はモジュール基板の前端部を受け容れる。モジュール基板の前端部は受容部５１内で接触部４１を中心にして所定の角度範囲で回転可能である。
【００２８】
ハウジング５の左半分（図１Ａのハウジング５の左半分）の後部と右半分（図１Ａのハウジング５の右半分）とにそれぞれコンタクト配列方向ＤＣに沿って複数の第１コンタクト収容室５２が等間隔に形成されている。第１コンタクト収容室５２（図２参照）の前部は受容部５１に通じ、コンタクト収容室５２の後部はハウジング５の外部に臨む。第１コンタクト収容室５２はばね部収容部５２ａと保持孔部５２ｂと中空部５２ｃとを有する。ばね部収容部５２ａは上段コンタクト３のばね部３２を収容し、ばね部３２の弾性変形をさまたげないだけの容積を有する。保持孔部５２ｂには上段コンタクト３の圧入部３３が挿入方向ＤＩに沿って圧入される。保持孔部５２ｂに圧入部３３が圧入されると、上段コンタクト３はハウジング５に保持される。中空部５２ｃは保持孔部５２ｂと受容部５１との間に介在する。
【００２９】
図１Ａに示すように、ハウジング５の左半分の前部と右半分の前部とにそれぞれコンタクト配列方向ＤＣに沿って第２コンタクト収容室５３が等間隔に形成されている。第２コンタクト収容室５３の配置ピッチは第１コンタクト収容室５２の配置ピッチに等しいが、第２コンタクト収容室５３と第１コンタクト収容室５２とはコンタクト配列方向ＤＣで半ピッチ分だけずれている。複数の第２コンタクト収容室５３にはそれぞれ下段コンタクト４が収容されている。
【００３０】
図１Ａ、図１Ｂ、図１Ｃに示すように、ハウジング５の長手方向両端部にはそれぞれホールドダウン装着部５４が形成され、ホールドダウン装着部５４にはホールドダウン７が装着されている。
【００３１】
ハウジング５の長手方向一端部の下面には位置決めボス５５が形成され、ハウジング５の長手方向他端部の下面には位置決めボス５６が形成されている。位置決めボス５５は位置決めボス５６よりも細い。
【００３２】
次に、このコネクタの使用方法の一例について説明する。
【００３３】
まず、上段コンタクト３の端子部３５と下段コンタクト４の端子部４３とホールドダウン７とをそれぞれマザーボードのパッドに半田付けして、コネクタをマザーボード上に実装する。
【００３４】
次に、モジュール基板の前端部をコネクタの受容部５１に斜めに挿入する。挿入後、モジュール基板の前端部が上方へ移動するように、下段コンタクト４の接触部４１を回転中心にしてモジュール基板を回転させる。モジュール基板がマザーボードとほぼ平行な状態になると、第１コンタクト収容室５２の隔壁に突き当ってモジュール基板の回転が止まる。この状態では、モジュール基板の前端部にばね部３２が上方へ押圧されてばね部３２が弾性変形し、ばね部３２のばね力によって、上段コンタクト３の接触部３１がモジュール基板の上面にパッドに押し付けられる。また、下段コンタクト４の接触部４１はモジュール基板の下面に形成されたパッドに接触する。
【００３５】
その結果、コネクタの上段コンタクト３と下段コンタクト４とを通じて、モジュール基板とマザーボードとが電気的に接続される。
【００３６】
また、上述のように上段コンタクト３のばね部３２が圧入部３３の挿入方向後端部３３ｂから挿入方向前側へ折り返されるように曲がっており、連結部３４が圧入部３３の挿入方向後端部３３ｂから挿入方向後側へ延びており、圧入部３３がスタブとならない構成なので、圧入部３３の挿入方向の寸法を縮めることができ、その結果として圧入部３３に開口やスロットを形成する必要もなくなる。
【００３７】
この実施形態によれば、圧入部３３がスタブとならないので、コンタクト３のインピーダンスの調整を容易にすることができ、圧入部３３に開口やスロットを形成する必要もないから、コンタクト３のハウジング５に対する高い保持力を確保することができる。
【００３８】
以上のように、この実施形態によれば、コンタクト３のインピーダンスの調整を容易にすることができるとともに、コンタクト３のハウジング５に対する高い保持力を確保することができる。
【００３９】
また、所望のインピーダンスを得ようとコンタクトを設計する際に、インピーダンスを調整することが容易にできる。
【００４０】
なお、この実施形態のコンタクトは基板対基板用のコネクタのコンタクトであるが、この発明の適用範囲は基板対基板用のコネクタのコンタクトに限られない。
【図面の簡単な説明】
【００４１】
【図１Ａ】図１Ａはこの発明の一実施形態に係るコンタクトを備えたコネクタの正面図である。
【図１Ｂ】図１Ｂは図１Ａに示すコネクタの平面図である。
【図１Ｃ】図１Ｃは図１Ａに示すコネクタの側面図で、拡大した図である。
【図２】図２は図１ＡのII−II線に沿う拡大断面図である。
【図３】図３は図２に示す上側コンタクトの斜視図である。
【符号の説明】
【００４２】
３  上段コンタクト（コンタクト）
３１  接触部
３２  ばね部
３２ａ ばね部の他端部（連結端）
３３  圧入部
３３ａ  圧入部の突起部
３３ｂ 挿入方向後端部
３４  連結部
３４ｂ 連結部の一端部（連結端）
３５  端子部
３６ 隙間
４  下段コンタクト
５  ハウジング
【図１Ａ】
0004781403.tif 000002
【図１Ｂ】
0004781403.tif 000003
【図１Ｃ】
0004781403.tif 000004
【図２】
0004781403.tif 000005
【図３】
0004781403.tif 000006